(57)【要約】【課題】フィルタの清掃を自動的に行うようにした空気調和機のフィルタ装置において、清掃性能の向上と金型費用削減を両立した空気調和機のフィルタ装置を提供すること。【解決手段】熱交換器を通過する空気の塵埃を捕集するフィルタ２と、前記フィルタ２を設置するフィルタ枠１と前記フィルタ２に沿って駆動可能な除塵手段とを有するフィルタ装置において、フィルタ２を平板化し、前記フィルタ枠にセットしたとき当該フィルタがＬ字状に屈曲してセットされる構成とすることで、除塵性能の向上を図り、かつ、金型費用の低減を実現する。【選択図】図１
2010107082.tif 000002
【特許請求の範囲】
【請求項１】
熱交換器を通過する空気の塵埃を捕集するフィルタと、前記フィルタを設置するフィルタ枠と、前記フィルタに沿って駆動可能な除塵手段とを有するフィルタ装置であって、前記フィルタを平板状として、前記フィルタ枠にセットしたとき当該フィルタがＬ字状に屈曲してセットされる空気調和機のフィルタ装置。
【請求項２】
フィルタ曲げ部の始まりの部分をフィルタ枠に係止する係止手段を備えたことを特徴とする請求項１記載の空気調和器のフィルタ装置。
【請求項３】
フィルタを一体化または、左右２分割以上としたことを特徴とする請求項１または２記載の空気調和機のフィルタ装置。
【請求項４】
フィルタ曲げ部の桟の板厚は、直線部の桟の板厚よりも薄くしたことを特徴とする請求項１から３のいずれか１項に記載の空気調和器のフィルタ装置。
【請求項５】
フィルタ除塵手段を吸引ノズルとした請求項１から４のいずれか１項に記載の空気調和機のフィルタ装置。
【発明の詳細な説明】
【技術分野】
【０００１】
本発明は、フィルタの清掃を自動的に行うようにした空気調和機のフィルタ装置に関するものである。
【背景技術】
【０００２】
従来、この種のフィルタ装置のフィルタは、初めからＬ字型に曲がったものを用いるか、または、上下分割構成になっており、Ｌ型に曲がった部分は上下いずれかのフィルタで構成していた（例えば、特許文献１参照）。また、これらの空気調和機のフィルタ装置には、熱交換器を通過する空気の塵埃を捕集するフィルタと、前記フィルタをセットするフィルタ枠と前記フィルタに沿って移動可能な吸引ノズルと、前記吸引ノズルに連結された吸引装置により構成される吸引方式によるフィルタ自動清掃機能を有するものがある。
【０００３】
図６は、特許文献１に記載された従来の空気調和機を示す図である。図６に示すように従来の空気調和機のフィルタ装置は、フィルタ枠１に固定されたフィルタ２がＬ字型に形成されている。また該フィルタ装置には、フィルタ２上に捕集された塵埃を吸引する吸引ノズル３、吸引ダクト５を介して吸引ノズル３に接続される吸引装置６が構成されている。前記吸引ノズル３にはその一部に開口を設けるとともに、該開口部をふさぐことができるようにノズル開口部を覆いつつノズル開口部に沿うようにベルトを配置し、なおかつそのノズル開口部上のベルトの一部分に穴（以下、吸引孔と記す）が設けてある。
【０００４】
以上のように構成された従来の空気調和機のフィルタ装置では、吸引ノズル３を左右に駆動し、更に、吸引孔の位置を順次移動することでフィルタ２全域に渡ってフィルタ自動清掃が行われる。
【特許文献１】特開２００８−１１１５９９号公報
【発明の開示】
【発明が解決しようとする課題】
【０００５】
しかしながら、上記従来技術ではフィルタを上下一体化にした場合は、Ｌ字型に曲がったものを成形するために、Ｌ字型の深さ分を確保するために、大きな金型が必要となる。また、上下分割した場合でも、金型面数が多くなり、いずれにしても金型費用が増大するという課題を有していた。
【０００６】
また、ベルト駆動方式の吸引ノズルを用いる場合には、ノズルの角部は、直角曲げが出来ずに、Ｒ形状またはＣ面形状にしなければならない。そのため、フィルタ形状もノズルに沿う形状合わせて角部をＲ形状またはＣ面形状にして上下一体化するか、曲げ部を避けるために上下分割形状にしなければならない。その結果、大きな金型が必要となったり、金型面数が多くなったりして、金型費用が増大していた。
【課題を解決するための手段】
【０００７】
上記課題を解決するため本発明の空気調和機のフィルタ装置は、熱交換器を通過する空気の塵埃を捕集するフィルタと、前記フィルタを設置するフィルタ枠と、前記フィルタに沿って駆動可能な除塵手段とを有するフィルタ装置であって、前記フィルタを平板状として、前記フィルタ枠にセットしたとき当該フィルタがＬ字状に屈曲してセットされる構成としたものである。
【０００８】
これによって、安価でかつ効率の良いフィルタ清掃が可能な空気調和機の提供が可能となる。
【発明の効果】
【０００９】
本発明の空気調和機のフィルタ装置は、フィルタ成形金型の費用を最小限に抑えながら、効率のよいフィルタ清掃を行なうことができる。
【発明を実施するための最良の形態】
【００１０】
第１の発明は、熱交換器を通過する空気の塵埃を捕集するフィルタと、前記フィルタを設置するフィルタ枠と、前記フィルタに沿って駆動可能な除塵手段とを有するフィルタ装置であって、前記フィルタを平板状として、前記フィルタ枠にセットしたとき当該フィルタがＬ字状に屈曲してセットされる構成としたものである。
【００１１】
これにより、金型の費用の削減を図りつつ、効率のよりフィルタ清掃が可能となる。
【００１２】
第２の発明は、特に第１の発明において、フィルタ曲げ部の始まりの部分をフィルタ枠に係止する係止手段を備えたものである。これにより、フィルタをフィルタ枠に確実に固定することができる。
【００１３】
第３の発明は、特に第１または第２の発明において、フィルタを一体化または左右２分割以上とすることにより強度が増加する。また、金型を１つとすることができるため、上下に分割した場合よりも金型費の削減が可能となる。
【００１４】
第４の発明は、特に第１〜第３の発明において、フィルタ曲げ部の桟の板厚を直線部の桟の板厚よりも薄くしたものである。これにより、組立て時に容易にＬ字に曲げることが可能となる。
【００１５】
第５の発明は、特に第１〜第４の発明において、フィルタ除塵手段を吸引ノズルとしたものである。これにより、吸引孔との距離を保つことで吸引能力の低下を防ぐことができる。
【００１６】
以下、本発明の実施の形態について、図面を参照しながら説明する。なお、この実施の形態によって本発明が限定されるものではない。
【００１７】
（実施の形態１）
本発明の第１の実施の形態について、図１〜図４を用いて説明する。なお、従来例と同じ部分については同じ記号を用いて説明する。
【００１８】
図１は本発明の第１の実施の形態における空気調和機のフィルタ装置の構成の例を示した図である。この図において熱交換器を通過する空気の塵埃を除去するフィルタ装置は、フィルタ枠１と、フィルタ２から構成され、そのフィルタ２の表面に沿って移動可能な除塵手段としての吸引ノズル３が設けられる。吸引ノズル３はフィルタ枠１の上下端に設置されたガイドレール４により、フィルタ２と極めて狭い間隙を保って円滑に左右に移動することができる。なお、図１に示すようにフィルタ２はフィルタ枠１に係止手段としてのフック８により係止されている。このフック８は図１から明らかなように、フィルタ２がＬ字上に曲がり始める部分の少し手前となるフィルタ枠１の横桟に嵌合係止するように形成してある。
【００１９】
図２は第１の実施の形態にて採用した吸引ノズルの詳細について、ノズルと後述するベルトを別々に示した図で、組立て時はベルトを外側に配置して固定する。図２左に示すように、吸引ノズル３には開口部９が設けられており、吸引ノズル３の外側には開口部９を覆いつつ該開口部９に沿って駆動可能なベルト１０（図２右）が配置される。ベルト１０
には吸引部となる吸引孔１１が設けられ、吸引孔１１に沿ってブラシ（図示せず）が配置されている。また、吸引ノズル３のベルト１０を、モータ１２及びギア１３と、ベルト１０に複数設けられギア１３に噛み合う駆動穴１４とによって駆動することで、吸引する場所を可変する。
【００２０】
さらに、吸引ノズル３には吸引ダクト５が連結され、吸引ダクト５は吸引装置６に連結される。吸引ダクト５は吸引ノズル３の移動に差し支えないように折り曲げ可能なダクトで形成されている。吸引装置６には排気ダクト７が連結され、室外へ引き回される。
【００２１】
図３は、平板状のフィルタ２をフィルタ枠１にセットする工程を示した図、図４はフィルタ２のフック部８の詳細図である。図３（ａ）の矢印に示すように、フィルタ２の両側をフィルタ枠１に設けたガイドに合わせながら、平面状態のままで奥まで挿入する。この時、図４に示すようにフィルタ２に設けたフック部８をフィルタ枠１の横桟とかみ合わせる。これによって、フィルタ２を曲げた時のフィルタ中央部の浮き上がりを防止できる。次に図３（ｂ）の矢印に示すように、フィルタ２をフィルタ枠１に沿わせるように下へ折り曲げるようにしてフィルタ２をセットする。
【００２２】
以上のように構成された空気調和機について、以下その動作、作用を説明する。
【００２３】
フィルタ装置の清掃運転が開始されると、吸引ノズル３が左右に移動し、吸引ノズルに取り付けられたベルト１０に設けられた吸引孔１１よりフィルタ２表面に付着した塵埃を吸引する。吸引孔１１の面積を小さくすることで、極めて小出力の吸引装置でもフィルタ２の全面を充分に吸引清掃することが可能となる。また、吸引孔１１の横にはブラシが設けられているため、フィルタ２上に強く付着してしまって吸引清掃だけでは除去しきれない塵埃も、ブラシが掻き取る力を利用することで確実に除去することが可能である。さらに、吸引ノズル３によって吸引された塵埃は、吸引装置６に連結された排気ダクト７を介して室外へ排気される。
【００２４】
ここで、フィルタ２の曲げ部の桟の厚さは、曲げ部以外より薄く形成されており、フィルタ２のセット時に容易に曲げることができる。また、フック部８によってフィルタ２をフィルタ枠１に確実に固定、特にフィルタ２がＬ字上に曲がる部分で固定しているため、この部分が浮き上がるようなことを防止でき、設置スペースの大型化を防止できる。しかもこの曲がり部分でも、フィルタ２とブラシおよび吸引孔１１との間の間隙を極めて狭く維持することができ、吸引ノズル３の移動性を損なうことなく良好な除塵効果を発揮させることができる。また、本実施の形態では、フィルタ２を上下で分割することなく曲げ部のＲを実現できるので、フィルタ枠１のＲ位置においても吸引清掃が可能になる。
【００２５】
以上のように本発明の空気調和機は、熱交換器を通過する空気の塵埃を捕集するフィルタと、前記フィルタを設置するフィルタ枠と前記フィルタに沿って駆動可能な除塵手段とを有するフィルタ装置であって、前記フィルタを平板状として、前記フィルタ枠にセットしたとき当該フィルタがＬ字状に屈曲してセットされる構成とすることにより、フィルタの製造時にＬ字型にすることなく平板状に形成することができるため、効率のよいフィルタ清掃ができるとともにフィルタの成型金型費の削減が可能となる。
【００２６】
なお、本実施の形態ではフィルタ２の係止手段をフック状のものとしたが、螺子や凹凸部を噛み合わせる構成などによって係止しても良い。
【００２７】
さらに、本実施の形態ではフィルタ２上の塵埃を除去する塵埃除去手段に吸引ノズル３とブラシを用いるとして説明したが、吸引ノズル３のみ又はブラシのみの構成としても良いのはいうまでもない。
【産業上の利用可能性】
【００２８】
以上のように、本発明にかかる空気調和機は、フィルタを平板に形成することで、成型金型費の削減が可能となるため、家庭用や業務用の空気調和機や空気清浄機など塵埃を捕集するエアフィルタを備えた各種装置のフィルタ自動清掃の用途に適用できる。
【図面の簡単な説明】
【００２９】
【図１】本発明の実施の形態１における空気調和機のフィルタ装置の構成図
【図２】本発明の実施の形態１における吸引ノズルの構造をノズルとベルトを別々にして示した図
【図３】（ａ）（ｂ）本発明の実施の形態１におけるフィルタのセット工程を示した図
【図４】本発明の実施の形態１におけるフィルタのフック部の詳細図
【図５】従来の空気調和機におけるフィルタ装置の構成図
【符号の説明】
【００３０】
１  フィルタ枠
２  フィルタ
３  吸引ノズル
４  ガイドレール
５  吸引ダクト
６  吸引装置
７  排気ダクト
８  フィルタのフック部
９  開口部
１０  ベルト
１１  吸引孔
１２  モータ
１３  ギア
１４  駆動穴
【図４】
2010107082.tif 000003
【図１】
2010107082.tif 000004
【図２】
2010107082.tif 000005
【図３】
2010107082.tif 000006
【図５】
2010107082.tif 000007